(57)【要約】【課題】本発明は、適度なフィット感を備え、頭髪等の異物の落下を抑えながら長い間の着用にも作業者に頭が痛くなる等の不快感を与えにくいことに加え、洗濯耐久性も良好であり、良好なフィット感を長期間維持することができる作業用キャップ及びネット付きヘアーバンドの提供を目的とする。【解決手段】本発明の作業用キャップは、キャップ本体を越えて開口部の周縁に両端が対向するように接続した第１補助ベルト、又は、開口部を越えて開口部の周縁に両端が対向するように接続した第２補助ベルトを備えており、適度なフィット感を備え、頭髪等の異物がキャップ本体の外に落下することが抑えられる。また、本発明のネット付きヘアーバンドは、開口部の周縁に両端が対向するように接続した第１補助ベルト又は第２補助ベルトを備えているため、本発明の作業用キャップと略同一の作用効果を奏する。【選択図】図１
2007146332.tif 000002
【特許請求の範囲】
【請求項１】
頭部を挿入する開口部を備えたキャップ本体と、
前記開口部に配設される主ベルトと、
前記キャップ本体を越えて前記開口部の周縁に両端が対向するように接続した第１補助ベルトと、を備える作業用キャップであって、
前記第１補助ベルトは地の目の横方向を長手方向とするニット構造の布地からなることを特徴とする作業用キャップ。
【請求項２】
前記第１補助ベルトが分断されており、形成される端部付近の面上に、当該端部同士を着脱可能とする面テープが装着されていることを特徴とする請求項１に記載の作業用キャップ。
【請求項３】
前記主ベルトは地の目の横方向を長手方向とするニット構造の布地からなることを特徴とする請求項１又は２に記載の作業用キャップ。
【請求項４】
頭部を挿入する開口部を備えたキャップ本体と、
前記開口部に配設される主ベルトと、
前記開口部を越えて前記開口部の周縁に両端が対向するように接続した第２補助ベルトと、を備える作業用キャップであって、 
前記第２補助ベルトが分断されており、形成される端部付近の面上に、当該端部同士を着脱可能とする面テープが装着されており、
且つ、前記第２補助ベルトは地の目の横方向を長手方向とするニット構造の布地からなることを特徴とする作業用キャップ。
【請求項５】
前記主ベルトは地の目の横方向を長手方向とするニット構造の布地からなることを特徴とする請求項４に記載の作業用キャップ。
【請求項６】
頭部を挿入する開口部を備えたネットと、
前記開口部に配設されるヘアーバンドと、
前記ネットを越えて前記開口部の周縁に両端が対向するように接続した第１補助ベルトと、を備えるネット付きヘアーバンドであって、
前記第１補助ベルトは地の目の横方向を長手方向とするニット構造の布地からなることを特徴とするネット付きヘアーバンド。
【請求項７】
前記第１補助ベルトが分断されており、形成される端部付近の面上に、当該端部同士を着脱可能とする面テープが装着されていることを特徴とする請求項６に記載のネット付きヘアーバンド。
【請求項８】
前記ヘアーバンドが、地の目の横方向を長手方向とするニット構造の布地からなることを特徴とする請求項６又は７に記載のネット付きヘアーバンド。
【請求項９】
頭部を挿入する開口部を備えたネットと、
前記開口部に配設されるヘアーバンドと、
前記開口部を越えて前記開口部の周縁に両端が対向するように接続した第２補助ベルトと、を備えるネット付きヘアーバンドであって、
前記第２補助ベルトが分断されており、形成される端部付近の面上に、当該端部同士を着脱可能とする面テープが装着されており、
且つ、前記第２補助ベルトは地の目の横方向を長手方向とするニット構造の布地からなることを特徴とするネット付きヘアーバンド。
【請求項１０】
前記ヘアーバンドが、地の目の横方向を長手方向とするニット構造の布地からなることを特徴とする請求項９に記載のネット付きヘアーバンド。
【発明の詳細な説明】
【技術分野】
【０００１】
本発明は、作業用キャップ及びネット付きへアーバンドに関する。特に、半導体製造作業や食品製造作業等に使用され、頭髪等の異物が製品に混入することを防止する作業用キャップ及びネット付きへアーバンドに関する。
【背景技術】
【０００２】
近年、クリーンルームにおける半導体製造作業や、医薬品製造作業、または食品製造作業といった清潔さが最優先される作業にあっては、頭髪あるいは当該頭髪からの発塵等の異物が製品に混入するのを確実に防止するため、頭部を完全に覆うための作業用キャップの着用を義務づけるのが一般的である。かかる作業用キャップは、長時間の作業であっても違和感なく着用できるとともに、作業中における汗を吸収し、また、頭部がむれることがないように軽量性及び通気性に優れた繊維材料で構成されていた。そして、この作業用キャップは、頭部を挿入する開口部で締め付けることにより頭部とキャップとの隙間をなくすようにして頭髪等の異物の落下を防止するとともに、頭髪を押さえることによりフィット性を高めるようにしていた（例えば、特許文献１参照。）。
【０００３】
図１２は、従来の作業用キャップ９の構成を示した概略図である、図１２に示す作業用キャップ９は、頭部９３（図１３参照）を覆うためのキャップ本体９１における当該頭部９３を挿入する開口部９１１に、弾性ゴムを編み込んだベルト、あるいはゴム自体からなるベルト（以下、総称して「ゴムベルト９２」とする。）を周状に設けた構成を採用している。また、図１３は、図１２に示す作業用キャップ９を頭部９３に装着して着用した状態を示した概略図であり、キャップ本体９１の開口部９１１に頭部９３を装着するとともに、当該開口部９１１に配設されたゴムベルト９２がその弾力により頭部９３を締め付け、これによって、作業用キャップ９が頭部９３にフィットした状態で装着されることになる。
【特許文献１】特開平５−１５６５０３号公報
【発明の開示】
【発明が解決しようとする課題】
【０００４】
従来の作業帽は、このようにゴムベルトの弾力による締め付けにより頭部にフィットした状態で装着されるので、頭髪等の異物がキャップ本体の外に落下することを防止することはできるものの、締め付けが強いために長時間使用していると頭が痛くなってしまうという問題点があった。一方、これを防止するため締め付けの弱いゴムベルトを採用した場合にあっては、フィット感が損なわれ、頭髪等の異物がキャップ本体の外に落下することがある。また、ゴムベルトは洗濯により弾力が低下しやすく、フィット感が損なわれ、頭髪等の異物がキャップ本体の外に落下しやすくなる。
【０００５】
そこで、本発明は、適度なフィット感を備え、頭髪等の異物の落下を抑えながら長い間の着用にも作業者に頭が痛くなる等の不快感を与えにくいことに加え、洗濯耐久性も良好であり、良好なフィット感を長期間維持することができる作業用キャップ及びネット付きヘアーバンドの提供を目的とする。
【課題を解決するための手段】
【０００６】
前記の目的を達成するために、本願第１発明の作業用キャップでは、作業用キャップに、キャップ本体を越えて開口部の周縁に両端が対向するように接続した、地の目の横方向を長手方向とするニット構造の布地からなる第1補助ベルトを備えることにより解決する。
【０００７】
具体的には、本願第１発明の作業用キャップは、頭部を挿入する開口部を備えたキャップ本体と、前記開口部に配設される主ベルトと、前記キャップ本体を越えて前記開口部の周縁に両端が対向するように接続した第１補助ベルトと、を備える作業用キャップであって、前記第１補助ベルトは地の目の横方向を長手方向とするニット構造の布地からなることを特徴とする。 
【０００８】
この第１発明の作業用キャップは、キャップ本体を越えて開口部の周縁に両端が対向するように接続した第１補助ベルトを備えており、作業用キャップの装着時に、主ベルトにより形成される環形状の部分の締め付けに加え、主ベルトの一部と第１補助ベルトにより形成される環形状の部分の締め付けが加わるため、適度なフィット感を備え、頭髪等の異物がキャップ本体の外に落下することが抑えられる。また、この第１補助ベルトは地の目の横方向を長手方向とするニット構造の布地からなるため、作業者に頭が痛くなる等の不快感を与えにくい。また、ニット構造は洗濯耐久性があり、良好なフィット感を長期間維持することができる。
【０００９】
第１発明の作業用キャップでは、前記第１補助ベルトが分断されており、形成される端部付近の面上に、当該端部同士を着脱可能とする面テープが装着されていることが好ましい。第１補助ベルトの長さの微調整をすることができ、フィット感を一層向上させることができる。
【００１０】
第１発明の作業用キャップでは、前記主ベルトは地の目の横方向を長手方向とするニット構造の布地からなることが好ましい。主ベルトの一部と第１補助ベルトにより形成される環形状の部分がニット構造の布地からなるため、フィット感を一層向上させることができる。また、主ベルトの一部と第１補助ベルトにより形成される環形状の部分の洗濯耐久性が向上する。
【００１１】
次に、前記の目的を達成するために、本願第２発明の作業用キャップでは、作業用キャップに、開口部を越えて開口部の周縁に両端が対向するように接続した、地の目の横方向を長手方向とするニット構造の布地からなる第２補助ベルトを備えることにより解決する。
【００１２】
具体的には、本願第２発明の作業用キャップは、頭部を挿入する開口部を備えたキャップ本体と、前記開口部に配設される主ベルトと、前記開口部を越えて前記開口部の周縁に両端が対向するように接続した第２補助ベルトと、を備える作業用キャップであって、前記第２補助ベルトが分断されており、形成される端部付近の面上に、当該端部同士を着脱可能とする面テープが装着されており、且つ、前記第２補助ベルトは地の目の横方向を長手方向とするニット構造の布地からなることを特徴とする。
【００１３】
この第２発明の作業用キャップは、開口部を越えて開口部の周縁に両端が対向するように接続した第２補助ベルトを備えており、作業用キャップの装着時に、キャップ本体は下方に引っ張られた状態となるため、装着中の作業用キャップのずれや頭部からの脱離が防止される。また、第２補助ベルトから主ベルトの一部を後方に引っ張る力が加わるため、適度なフィット感を備え、頭髪等の異物がキャップ本体の外に落下することが抑えられる。また、この第２補助ベルトは地の目の横方向を長手方向とするニット構造の布地からなるため、作業者に頭が痛くなる等の不快感を与えにくい。また、ニット構造は洗濯耐久性があり、良好なフィット感を長期間維持することができる。
【００１４】
第２発明の作業用キャップでは、前記主ベルトは地の目の横方向を長手方向とするニット構造の布地からなることが好ましい。第２補助ベルトから引っ張られる主ベルトの一部がニット構造の布地からなるため、フィット感を一層向上させることができる。
【００１５】
次に、前記の目的を達成するために、本願第３発明のネット付きヘアーバンドでは、ネット付きヘアーバンドに、ネットを越えて開口部の周縁に両端が対向するように接続した、地の目の横方向を長手方向とするニット構造の布地からなる第１補助ベルトを備えることにより解決する。
【００１６】
具体的には、本願第３発明のネット付きヘアーバンドは、頭部を挿入する開口部を備えたネットと、前記開口部に配設されるヘアーバンドと、前記ネットを越えて前記開口部の周縁に両端が対向するように接続した第１補助ベルトと、を備えるネット付きヘアーバンドであって、前記第１補助ベルトは地の目の横方向を長手方向とするニット構造の布地からなることを特徴とする。
【００１７】
この第３発明のネット付きヘアーバンドは、ネットを越えて開口部の周縁に両端が対向するように接続した第１補助ベルトを備えており、ネット付きヘアーバンドの装着時に、主ベルトにより形成される環形状の部分の締め付けに加え、主ベルトの一部と第１補助ベルトにより形成される環形状の部分の締め付けが加わるため、適度なフィット感を備え、頭髪等の異物がネットの外に落下することが抑えられる。また、この第１補助ベルトが地の目の横方向を長手方向とするニット構造の布地からなるので、作業者に頭が痛くなる等の不快感を与えにくい。また、ニット構造は洗濯耐久性があり、良好なフィット感を長期間維持することができる。
【００１８】
第３発明のネット付きヘアーバンドでは、前記第１補助ベルトが分断されており、形成される端部付近の面上に、当該端部同士を着脱可能とする面テープが装着されていることが好ましい。第１補助ベルトの長さの微調整をすることができ、フィット感を一層向上させることができる。
【００１９】
第３発明のネット付きヘアーバンドでは、前記ヘアーバンドが、地の目の横方向を長手方向とするニット構造の布地からなることが好ましい。主ベルトの一部と第１補助ベルトにより形成される環形状の部分がニット構造の布地からなるため、フィット感を一層向上させることができる。また、主ベルトの一部と第１補助ベルトにより形成される環形状の部分の洗濯耐久性が向上する。
【００２０】
次に、前記の目的を達成するために、本願第４発明のネット付きヘアーバンドでは、ネット付きヘアーバンドに、開口部を越えて開口部の周縁に両端が対向するように接続した、地の目の横方向を長手方向とするニット構造の布地からなる第２補助ベルトを備えることにより解決する。
【００２１】
具体的には、本願第４発明のネット付きヘアーバンドは、頭部を挿入する開口部を備えたネットと、前記開口部に配設されるヘアーバンドと、前記開口部を越えて前記開口部の周縁に両端が対向するように接続した第２補助ベルトと、を備えるネット付きヘアーバンドであって、前記第２補助ベルトが分断されており、形成される端部付近の面上に、当該端部同士を着脱可能とする面テープが装着されており、且つ、前記第２補助ベルトは地の目の横方向を長手方向とするニット構造の布地からなることを特徴とする。
【００２２】
この第４発明のネット付きヘアーバンドは、開口部を越えて開口部の周縁に両端が対向するように接続した第２補助ベルトを備えており、ネット付きヘアーバンドの装着時に、ネットは下方に引っ張られた状態となるため、装着中のネット付きヘアーバンドのずれや頭部からの脱離が防止される。また、第２補助ベルトから主ベルトの一部を後方に引っ張る力が加わるため、適度なフィット感を備え、頭髪等の異物がネットの外に落下することが抑えられる。また、この第２補助ベルトが地の目の横方向を長手方向とするニット構造の布地からなるので、作業者に頭が痛くなる等の不快感を与えにくい。また、ニット構造は洗濯耐久性があり、良好なフィット感を長期間維持することができる。
【００２３】
第４発明のネット付きヘアーバンドでは、前記ヘアーバンドが、地の目の横方向を長手方向とするニット構造の布地からなることが好ましい。第２補助ベルトから引っ張られる主ベルトの一部がニット構造の布地からなるため、フィット感を一層向上させることができる。
【発明の効果】
【００２４】
この本発明の作業用キャップは、開口部の周縁に両端が対向するように接続した第１補助ベルト又は第２補助ベルトを備えており、作業用キャップの装着時に、主ベルトの一部と第１補助ベルトにより形成される環形状の部分の締め付けが加わること、又は、第２補助ベルトから主ベルトの一部を後方に引っ張る力が加わることで、適度なフィット感を備え、頭髪等の異物がキャップ本体の外に落下することが抑えられる。
【００２５】
本発明のネット付きヘアーバンドは、開口部の周縁に両端が対向するように接続した第１補助ベルト又は第２補助ベルトを備えているため、第１発明又は第２発明と略同一の作用効果を奏する。
【発明を実施するための最良の形態】
【００２６】
以下、本願第１発明に関する実施形態の一態様を図１及び図２に基づいて説明する。図１は第１発明の実施形態の作業用キャップを示す概略図、図２は図１の作業用キャップを頭部に装着した状態を示す概略図である。図１及び図２中、１は作業用キャップ、１１はキャップ本体、１１１はキャップ本体１１の開口部、１２は主ベルト、１２１は第１補助ベルトの接続部１３１よりも前方の部分、１２２は第１補助ベルトの接続部１３１よりも後方の部分、１３は第１補助ベルト、１３１は第１補助ベルトの接続部、１３２は第１補助ベルトの頂部、２０は頭部、をそれぞれ示す。
【００２７】
本実施形態は、頭部２０を挿入する開口部１１１を備えたキャップ本体１１と、開口部１１１に配設される主ベルト１２と、キャップ本体１１を越えて開口部１１１の周縁に両端が対向するように接続した第１補助ベルト１３と、を備える作業用キャップ１であって、第１補助ベルト１３は地の目の横方向を長手方向とするニット構造の布地からなる。
【００２８】
キャップ本体１１は、頭部２０を被う袋状の部材であり、開口部１１１を有する。キャップ本体１１の形状は、頭部２０に装着される際に当該頭部２０の頭髪を覆うことができるものであれば特に制限はなく、従来公知の各種形状を適宜選定することができる。また、キャップ本体１１に対して、ひさしやつば（鍔）、あるいはフードを設けるようにしてもよい。
【００２９】
キャップ本体１１の開口部１１１に配設される主ベルト１２は、作業用キャップ１を頭部２０に装着する際に、径寸法を調整可能なように伸縮させることができ、例えば、前述したゴムベルトからなる。
【００３０】
第１補助ベルト１３は、帯状の部材であり、開口部１１１の周縁に両端が対向するように接続させる。第１補助ベルト１３がキャップ本体１１を越えて配置される位置であれば、開口部１１１の周縁のいずれの位置に接続させても良い。好ましくは、例えば、図１に示すように、主軸Ｘよりも前方の位置に接続する。また、第１補助ベルト１３は開口部１１１の周縁に複数本接続させても良い。
【００３１】
第１補助ベルト１３は、地の目の横方向を長手方向（開口部１１１に接続した一端から他端に向う方向）とするニット構造の布地からなる。当該長手方向に対する伸縮性が良好であるため、第１補助ベルト１３は、開口部１１１に接続した端部間で伸縮性を備えることになる。
【００３２】
図３はニット構造を示す模式図であり、矢印方向が地の目の横方向である。ニット構造は洗濯における耐久性も良好であるため、数回の洗濯でベルトが劣化することはない。ここで、横編みの組織としては、特に制限はなく、例えば、図３に示す平編みのほか、リブ編み、ゴム編み、パール編み等の従来公知の組織を採用することができる。
【００３３】
ニット構造からなる布地を構成する繊維としては、通気性がよく、汗等の水分の吸収性が良好で、軽量な繊維により形成されることが好ましく、例えば、綿、レーヨン等の親水性繊維を用いてもよく、また、エバール（登録商標：エチレン・ビニルアルコール共重合体）を原料として、親水基を備えた合成繊維を使用するようにしてもよい。
【００３４】
図１及び図２に示した作業用キャップ１を構成するキャップ本体１１も、通気性がよく、汗等の水分の吸収性が良好で、軽量な繊維により形成されることが好ましく、前記したニット構造からなる布地を構成する繊維と同様な繊維を適用することができ、かかる繊維からなる織物や編物を使用することができる。また、通気孔を形成した紙、不繊布を使用してもよい。
【００３５】
また、作業用キャップ１の通気性を良好とし、かつ軽量とするためには、キャップ本体１１を構成する繊維の直径は、２〜２００μｍ程度であればよく、同様に、キャップ本体１１の目付量は、１０〜１００ｇ／ｍ２程度とすればよい。
【００３６】
そして、本実施形態の作業用キャップ１を着用するにあたっては、図２に示すように、
開口部１１１から頭部２０を挿入し、第１補助ベルト１３を伸長させた状態でキャップ本体１１の上から頭部２０の後部に掛けて装着する。このとき、主ベルト１２により形成される環形状の部分の締め付けに加え、主ベルト１２の第１補助ベルト１３の接続部１３１よりも前方の部分１２１と第１補助ベルト１３により形成される環形状の部分の締め付けが加わるため、適度なフィット感を備え、頭髪等の異物が主ベルト１２の前方の部分１２１から落下することが抑えられる。第１補助ベルト１３を頭部２０の前部に掛けて装着する形態としても良い。この場合は、主ベルト１２の第１補助ベルト１３の接続部１３１よりも後方の部分１２２と第１補助ベルト１３により形成される環形状の部分の締め付けが加わるため、適度なフィット感を備え、頭髪等の異物が主ベルト１２の後方の部分１２２から落下することが抑えられる。また、第１補助ベルト１３の頂部１３２を配置させる位置、即ち、接続部１３１と頂部１３２との距離により、主ベルト１２の一部と第１補助ベルト１３により形成される環形状の部分の締め付ける力を調節することができる。
【００３７】
主ベルト１２により形成される環形状の部分の締め付けに加え、主ベルト１２の一部と第１補助ベルト１３により形成される環形状の部分の締め付けが加わるが、第１補助ベルト１３はニット構造の布地からなるため、長い間の着用にも作業者に頭が痛くなる等の不快感を与えにくい。第１補助ベルト１３の幅ｗ１は、特に限定されないが、１〜４ｃｍが好ましい。適度な伸縮性が得られ、不快感を与えにくい。また、ニット構造は洗濯耐久性があり、良好なフィット感を長期間維持することができる。
【００３８】
また、主ベルト１２の一部と第１補助ベルト１３により形成される環形状の部分の締め付けが加わるため、主ベルト１２により形成される環形状の部分の締め付けを弱めても、良好なフィット感が維持される。このため、主ベルト１２により形成される環形状の部分の締め付けを弱めることが可能となるため、例えば、ゴムベルトからなる主ベルト１３を使用した場合における、締め付けが強いために長時間使用していると頭が痛くなってしまうという問題点が改善される。
【００３９】
本実施形態の作業用キャップ１では、主ベルト１２は地の目の横方向を長手方向（キャップ本体１１の開口部１１１における周方向）とするニット構造の布地からなることが好ましい。主ベルト１２の一部と第１補助ベルト１３により形成される環形状の部分がニット構造の布地からなるため、フィット感を一層向上させることができる。また、主ベルト１２の一部と第１補助ベルト１３により形成される環形状の部分の洗濯耐久性が向上する。
【００４０】
また、本実施形態の作業用キャップ１では、第１補助ベルト１３の長さを調節できる機構を設けることが好ましく、図４に例示する。図４は第１補助ベルトに面テープを形成した作業用キャップを頭部に装着した状態を示す概略図であり、図５は第１補助ベルトに形成された面テープを示す部分拡大図である。以下の説明では、既に前記した実施形態で説明した部分と同一または略同一の部分については、同一の符号を付して説明を省略する。図４及び図５中、１ａは作業用キャップ、１３５は面テープ、をそれぞれ示す。
【００４１】
図４に示すように、本実施形態の作業用キャップ１ａでは、第１補助ベルト１３が分断されており、形成される端部付近の面上に、端部同士を着脱可能とする面テープ１３５が装着されていることが好ましい。第１補助ベルト１３の長さの微調整が可能となり、フィット感をより一層向上させることができる。このような面テープ１３５としては、例えば、マジックテープ（登録商標）等を適用することができる。また、フックで係止して固定する形態であっても同様の効果が得られる。
【００４２】
以下、本願第２発明に関する実施形態の一態様を図６及び図７に基づいて説明する。図６は第２発明の実施形態の作業用キャップを示す概略図、図７は図６の作業用キャップを頭部に装着した状態を示す概略図である。図６及び図７中、２は作業用キャップ、１４は第２補助ベルト、１４１は第２補助ベルトの接続部、１４２は第２補助ベルトの面テープ、２１は顎、をそれぞれ示す。
【００４３】
本実施形態は、頭部２０を挿入する開口部１１１を備えたキャップ本体１１と、開口部１１１に配設される主ベルト１２と、開口部１１１を越えて開口部１１１の周縁に両端が対向するように接続した第２補助ベルト１４と、を備える作業用キャップ２であって、第２補助ベルト１４が分断されており、形成される端部付近の面上に、当該端部同士を着脱可能とする面テープ１４２が装着されており、且つ、第２補助ベルト１４は地の目の横方向を長手方向とするニット構造の布地からなる。
【００４４】
キャップ本体１１及び主ベルト１２に関しては、第１発明の実施形態で説明したものと同様のものを使用することができる。
【００４５】
第２補助ベルト１４は、前述した第１補助ベルト１３と同様の帯状の部材であり、開口部１１１の周縁に両端が対向するように接続させる。第２補助ベルト１４が開口部１１１を越えて配置される位置であれば、開口部１１１の周縁のいずれの位置に接続させても良い。好ましくは、例えば、図６に示すように、主軸Ｘよりも前方の位置に接続する。
【００４６】
第２補助ベルト１４の分断させる位置は、第２補助ベルト１４のいずれの位置であっても良い。例えば、図６及び図７に示すように第２補助ベルト１４の中央部付近であっても良いし、開口部１１１の周縁との接続部１４１であっても良い。面テープ１４２は、前述した第１補助ベルト１３の場合と同様のものを適用することができる。
【００４７】
また、第２補助ベルト１４は、地の目の横方向を長手方向（開口部１１１に接続した一端から他端に向う方向）とするニット構造の布地からなる。ニット構造の布地としては、前述した第１補助ベルト１３の場合と同様のものを適用することができる。当該長手方向に対する伸縮性が良好であるため、第２補助ベルト１４は、開口部１１１に接続した端部間で伸縮性を備えることになる。
【００４８】
そして、本実施形態の作業用キャップ２を着用するにあたっては、図７に示すように、
開口部１１１から頭部２０を挿入し、第２補助ベルト１４を伸長させた状態で顎２１に掛けて装着する。このとき、キャップ本体１１は下方に引っ張られた状態となるため、装着中の作業用キャップ２のずれや頭部２０からの脱離が防止される。また、第２補助ベルト１４から主ベルト１２の一部を後方に引っ張る力が加わるため、適度なフィット感を備え、頭髪等の異物がキャップ本体１１の外に落下することが抑えられる。また、この第２補助ベルト１４は地の目の横方向を長手方向とするニット構造の布地からなるため、作業者に頭が痛くなる等の不快感を与えにくい。第２補助ベルト１４の幅ｗ２は、特に限定されないが、１〜４ｃｍが好ましい。適度な伸縮性が得られ、首元が苦しくなる等の不快感を与えにくい。また、ニット構造は洗濯耐久性があり、良好なフィット感を長時間維持することができる。
【００４９】
本実施形態の作業用キャップ２では、第１発明の作業用キャップ１と同様に、主ベルト１２は地の目の横方向を長手方向とするニット構造の布地からなることが好ましい。第２補助ベルト１４から引っ張られる主ベルト１２の一部がニット構造の布地からなるため、フィット感を一層向上させることができる。
【００５０】
また、本発明の作業用キャップでは、前記した、第１発明の第１補助ベルトと第２発明の第２補助ベルトとを同時に備える形態とすることが好ましく、その実施形態を図８及び図９に例示する。図８は第１補助ベルトと第２補助ベルトとを備える作業用キャップを示す概略図、図９は図８の作業用キャップを頭部に装着した状態を示す概略図である。図８及び図９中、５は作業用キャップ、１５は一体化補助ベルト、１５１は一体化補助ベルトの接続部、をそれぞれ示す。
【００５１】
本実施形態の作業用キャップ５は、第１補助ベルト１３と第２補助ベルト１４を同時に備える。第１補助ベルト１３と第２補助ベルト１４は、別体として備えても良いし、一体化した状態で備えても良い。好ましくは、図８及び図９に示すように第１補助ベルト１３と第２補助ベルト１４が一体化した一本のベルトである一体化補助ベルト１５として備える。接続部１５１が２箇所ですみ、製造が容易である。また、作業用キャップ５の装着時における頭部２０に対する異物感も減少する。
【００５２】
第１補助ベルト１３と主ベルト１２の一部により形成される環形状の部分の締め付けにより、頭髪等の異物がキャップ本体１１の外に落下することを抑える効果が得られやすいが、キャップ本体１１に上方への力が加わり、作業用キャップ５のずれを生じやすくすることがある。ここで、第２補助ベルト１４を同時に備えることで、キャップ本体１１は下方に引っ張られた状態となるため、作業用キャップ５のずれが防止される。また、主ベルト１２の一部を後方に引っ張る力が働くためフィット感がさらに向上する。
【００５３】
前記した実施形態では、第１補助ベルトを備えた第１発明の作業用キャップ１及び第２補助ベルトを備えた第２発明の作業用キャップ２について説明したが、図１０に示す構成の第１補助ベルトを備えた第３発明のネット付きへアーバンド３及び図１１に示す構成の第２補助ベルトを備えた第４発明のネット付きへアーバンド４についても、それぞれ当該作業用キャップ１、２と略同様の作用効果を奏することができる。
【００５４】
以下、本願第３発明に関する実施形態の一態様を図１０に基づいて説明する。図１０は、第３発明の実施形態のネット付きヘアーバンドを頭部に装着した状態を示す概略図である。図１０中、３はネット付きヘアーバンド、３１はネット、３１１はネットの開口部、３２はヘアーバンド、をそれぞれ示す。
【００５５】
本実施形態は、頭部２０を挿入する開口部３１１を備えたネット３１と、開口部３１１に配設されるヘアーバンド３２と、ネット３１を越えて開口部３１１の周縁に両端が対向するように接続した第１補助ベルト１３と、を備えるネット付きヘアーバンド３であって、第１補助ベルト１３は地の目の横方向を長手方向とするニット構造の布地からなる。なお、ネット３１は第１発明の実施形態のキャップ本体１１に、また、ヘアーバンド３２は第１発明の実施形態の主ベルト１２に略相当するものである。
【００５６】
そして、本実施形態のネット付きヘアーバンド３を着用するにあたっては、開口部３１１から頭部２０を挿入し、第１補助ベルト１３を伸長させた状態でネット３１の上から頭部２０に掛けて装着する。第１発明の実施形態と同様に、適度なフィット感を備え、頭髪等の異物がネット３１の外に落下することが抑えられる。
【００５７】
本実施形態のネット付きヘアーバンド３では、第１発明の実施形態の作業用キャップ１ａと同様の理由で、第１補助ベルト１３が分断されており、形成される端部付近の面上に、当該端部同士を着脱可能とする面テープ１３５が装着されていることが好ましく、また、ヘアーバンド３２は地の目の横方向を長手方向とするニット構造の布地からなることが好ましい。
【００５８】
以下、本願第４発明に関する実施形態の一態様を図１１に基づいて説明する。図１１は、第４発明の実施形態のネット付きヘアーバンドを頭部に装着した状態を示す概略図である。図１１中、４はネット付きヘアーバンドを示す。
【００５９】
本実施形態は、頭部２０を挿入する開口部３１１を備えたネット３１と、開口部３１１に配設されるヘアーバンド３２と、開口部３１１を越えて開口部３１１の周縁に両端が対向するように接続した第２補助ベルト１４と、を備えるネット付きヘアーバンド４であって、第２補助ベルト１４が分断されており、形成される端部付近の面上に、当該端部同士を着脱可能とする面テープ１４２が装着されており、且つ、第２補助ベルト１４は地の目の横方向を長手方向とするニット構造の布地からなる。なお、ネット３１は第２発明の実施形態のキャップ本体１１に、また、ヘアーバンド３２は第２発明の実施形態の主ベルト１２に略相当するものである。
【００６０】
そして、本実施形態のネット付きヘアーバンド４を着用するにあたっては、開口部３１１から頭部２０を挿入し、第２補助ベルト１４を伸長させた状態で顎２１に掛けて装着する。第２発明の実施形態と同様に、装着中のネット付きヘアーバンド４のずれや頭部２０からの脱離が防止される。また、適度なフィット感を備え、頭髪等の異物がネット３１の外に落下することが抑えられる。
【００６１】
本実施形態のネット付きヘアーバンド４では、第２発明の実施形態の作業用キャップ２と同様の理由で、ヘアーバンド３２が、地の目の横方向を長手方向とするニット構造の布地からなることが好ましい。
【００６２】
また、ネット付きヘアーバンドにおいても、前述した作業用キャップと同様に、第１補助ベルトと第２補助ベルトを同時に備えることが好ましい。この場合でも、第１補助ベルトと第２補助ベルトが一体化した一本のベルトである一体化補助ベルトとして備えることがより好ましい。
【００６３】
以上説明した態様は、本発明の一態様を示したものであって、本発明は、前記した実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【産業上の利用可能性】
【００６４】
本発明は、例えば、半導体、食品、医薬品等の製造作業時における作業用キャップ及びネット付きヘアーバンドとして有利に使用することができる。
【図面の簡単な説明】
【００６５】
【図１】第１発明の実施形態の作業用キャップを示す概略図である。
【図２】図１の作業用キャップを頭部に装着した状態を示す概略図である。
【図３】ニット構造を示す模式図である。
【図４】第１補助ベルトに面テープを形成した作業用キャップを頭部に装着した状態を示す概略図である。
【図５】第１補助ベルトに形成された面テープを示す部分拡大図である。
【図６】第２発明の実施形態の作業用キャップを示す概略図である。
【図７】図６の作業用キャップを頭部に装着した状態を示す概略図である。
【図８】第１補助ベルトと第２補助ベルトとを備える作業用キャップを示す概略図である。
【図９】図８の作業用キャップを頭部に装着した状態を示す概略図である。
【図１０】第３発明の実施形態のネット付きヘアーバンドを頭部に装着した状態を示す概略図である。
【図１１】第４発明の実施形態のネット付きヘアーバンドを頭部に装着した状態を示す概略図である。
【図１２】従来の作業用キャップを示す概略図である。
【図１３】図１２に示す作業用キャップを頭部に装着した状態を示す概略図である。
【符号の説明】
【００６６】
１、１ａ、２、５、９、作業用キャップ
３、４、ネット付きヘアーバンド
１１、９１、キャップ本体
１１１、９１１、キャップ本体の開口部
１２、主ベルト
１２１、主ベルトの接続部１３１よりも前方の部分
１２２、主ベルトの接続部１３１よりも後方の部分
１３、第１補助ベルト
１３１、第１補助ベルトの接続部
１３２、第１補助ベルトの頂部
１３５、第１補助ベルトの面テープ
１４、第２補助ベルト
１４１、第２補助ベルトの接続部
１４２、第２補助ベルトの面テープ
１５、一体化補助ベルト
１５１、一体化補助ベルトの接続部
２０、９３、頭部
２１、顎
３１、ネット
３１１、ネットの開口部
３２、ヘアーバンド
９２、ゴムベルト
ｗ１、第１補助ベルトの幅
ｗ２、第２補助ベルトの幅
Ｘ、主軸
【図１】
2007146332.tif 000003
【図２】
2007146332.tif 000004
【図３】
2007146332.tif 000005
【図４】
2007146332.tif 000006
【図５】
2007146332.tif 000007
【図６】
2007146332.tif 000008
【図７】
2007146332.tif 000009
【図８】
2007146332.tif 000010
【図９】
2007146332.tif 000011
【図１０】
2007146332.tif 000012
【図１１】
2007146332.tif 000013
【図１２】
2007146332.tif 000014
【図１３】
2007146332.tif 000015